(57)【要約】【課題】複雑な機構を持たずに、ローコストで生産でき、コンパクトで取り回しが良く、どこにでも簡単に移動でき、誰でも簡単に取り扱える結束バンド細断機を得ること。【解決手段】一対の結束バンド引き込みローラー間に設置したセンサーで、結束バンドの投入を感知して電源が入り、モーター出力軸に取り付けた傘歯車から直角方向に回転力を分岐してローラーを駆動し、結束バンドを引き込みながら、モーター出力軸に取り付けた傘歯車の先の回転刃支持軸に取り付けた回転刃と、ローラーの両端を支える軸受け支持板下部に取り付けた固定刃を持ち、モーターの回転により高速回転する回転刃と固定刃の間に結束バンドを挟んで細断する機構で、ローラーと固定刃を増やすだけで、モーターや回転刃を増やすことなく、コンパクトなまま、複数結束バンド同時処理型の細断機も簡単に作れる構造の結束バンド細断機とした。【選択図】図１
2007130745.tif 000002
【特許請求の範囲】
【請求項１】
結束バンドを引き込むための密着した２本のローラーの間に設置されたセンサーにより、結束バンドの投入を感知して電源が入り、モーターの出力軸に取り付けた傘歯車から直角方向に回転力を分岐してローラーを駆動し、結束バンドを引き込みながら、モーターの出力軸に取り付けた傘歯車の先の回転刃支持軸に取り付けた回転刃と、ローラーの両端を支える２枚の軸受け支持板下部に取り付けた固定刃を持ち、モーターの回転により高速回転する回転刃と固定刃に結束バンドを挟んで細断する機構で、ローラーと固定刃を増やすだけで、モーターや回転刃を増やすことなく、コンパクトなまま、複数結束バンド同時処理型の細断機も簡単に作れる構造の結束バンド細断機。
【発明の詳細な説明】
【技術分野】
【０００１】  本発明は、プラスチックバンド、ポリプロピレンバンド等の使用済みの結束バンド細断機に関するものである。
【背景技術】
【０００２】  梱包を解いた後の結束バンドは、その強度のゆえに、小さく折りたたんだりまとめたりも出来ず、細断するにしても、はさみや押し切りを使っていては効率が悪く、処理のための時間が膨大に掛かってしまう。そのため細かく切断する装置もさまざま考案されている。
１．特開２００１−３５３６９１では「プラスチックバンド細断機及び該機用の刃付ロール」が公開されているが、高価なスパイラルプレーンカッターを使う事に問題がある。
２．特開平１０−９４９９４では「プラスチックバンド細断装置」が公開されているが、これは１本の結束バンドを細断し、終端部が目詰まりを起こした際、センサーによって送りローラーの間隔を広げた上でエアを噴出させて目詰まりを解消することを目的にする物であって、機構が複雑になり製造コストが大きくなる問題がある。
３．特開平７−２７７３１３で「結束バンド解束装置」として公開されている物は、荷解きする前に結束バンドの一部に装置の一部をセットし、結束バンドを溶かして切断し、その一端を装置に引き込んで細断し、終端部を次の結束バンドの始まりの部分に装置の中で溶着してから、エンドレスに細断をすることで目詰まりを防止することを特徴としているが、溶着する間は待ち時間が発生し、装置自体の複雑さは増して製造コストも高価になる問題がある。
４．特開平９−２４９１７で「結束バンド除去装置」も公開されているが、梱包品の横を装置自体が移動しつつ、センサーでバンドを検知し、検知したバンドにフック部分を引っかけ切断し、切断したバンドの一端を引き寄せながら、装置内部で裁断するものであって、特開平７−２７７３１３の「結束バンド解束装置」を発展させた大がかりな物になって複雑で製造コストも高価になる問題がある。
５．特開平７−１０１４２７では「結束バンドの切断処理装置」が公開されている。これは、門型のフレーム上部に、自在に移動可能な切断ヘッドと呼ぶ細断装置を設置し、門をくぐる梱包物から結束バンドを感知して切断し、引き込みながら細断処理するタイプになっている。このタイプの弱点であるダストボックスの容量確保の難しさを、細断片を風圧利用の吸い込みダクトによってダストボックスまで運んで溜める方式を採っている。しかし、これも、又、機構の複雑さと、製造コストの高騰、設置のためのスペース確保などに問題を残す。【０００３】以上、５つには、簡単ではない取扱の煩雑さ、機構の複雑さから来る価格の高さ、大型ゆえの設置や収納スペースの問題等の欠点がある。【０００４】  実際の結束バンド細断機が必要とされる多くの現場では、小さな梱包を数多く解かねばならない場合の方が遙かに多いのだが、上記の公開された機器では、大きな梱包を解く場合の、極、限られた範囲に用途がしぼられてしまう。又、それぞれに持たせた特殊な機能により取扱が煩雑になってしまい、コンパクトで取り回しが良く、簡単に移動でき、誰でも簡単に取り扱えると言う、最も重要で必要とされている要素が欠落している問題がある。
【発明の開示】
【発明が解決しようとする課題】
【０００５】  解決しようとする問題点は、複雑な機構を持たずにローコストで生産でき、コンパクトで取り回しが良く、どこにでも簡単に移動でき、誰でも簡単に取り扱える結束バンド細断機を得ることである。
【課題を解決するための手段】
【０００６】  本発明は、結束バンドを送るための密着した２本のローラーの間に設置されたセンサーにより、結束バンドの投入を感知して電源が入り、モーターの出力軸に取り付けた傘歯車から直角方向に回転力を分岐してしローラーを駆動し、結束バンドを引き込みながら、モーターの出力軸に取り付けた傘歯車の先の回転刃支持軸に取り付けた回転刃と、ローラーの両端を支える２枚の軸受け支持板下部に取り付けた固定刃を持ち、モーターが回転することにより高速回転する回転刃と固定刃に結束バンドを挟んで細断する結束バンド細断機である。
【発明の効果】
【０００７】  本発明は、１つのモーターの動力を傘歯車によって分岐して結束バンドを引き込むローラーを駆動しながら、一方では結束バンドを細断する回転刃を回すため、
１．構造が簡単なので、製造価格が安い。
２．軽量コンパクトなので、持ち連びが自由で、どこにでも簡単に移動できる。
３．バンド投入口に結束バンドを入れるだけで作動できるので、誰でも、簡単に使える。
４．ローラーと固定刃の数を増やすことだけで、モーターや回転刃を増やさず、コンパクトなままで、同時に多方向から複数の結束バンドを細断することが出来る複数同時処理型の細断機が簡単に出来る。
以上のような利点がある。
【発明を実施するための最良の形態】
【０００８】  モーターの出力シャフトに第１の傘歯車を取り付け、傘歯車の先には回転刃支持軸を取り付け、その先に回転刃を取り付け、第１の傘歯車に直角に接する第２の傘歯車にはローラーがあり、隣接する空転ローラーとの間に結束バンドを挟んで引き込み、ローラー直下に固定された固定刃と回転刃との間で結束バンドを切断する結束バンド細断機。
【実施例】
【０００９】  図１は、上視点作動概念斜視図で、主要部品だけの表示で結束バンドを切断する様子を示した図である。
図２は、下視点作動概念斜視図で、主要部品だけの表示で結束バンドを切断する様子を下方向からの視点で示した図である。
図３は、内部構造破断斜視図で、結束バンド細断機の内部構造を破断斜視図で示した図である。
図４は、実施図で、結束バンド細断機を受け箱に組み付ける様子を示した図である。
図５は、複数同時処理作動概念斜視図で、複数同時処理型の結束バンド細断機による複数の結束バンドを細断する様子を示した概念図である。【００１０】  図１に示すモーター１の出力軸には傘歯車８を取り付け、傘歯車８の先には回転刃支持軸４と、更に、その先に回転刃３が取り付いて、矢印方向に回転刃３が回転する。傘歯車Ａ８に傘歯車Ｂ９が直交して噛み合い、モーター１の回転力が分岐されてローラーＡ５が矢印方向に回転する。隣接するローラーＢ６はローラーＡ５に密着しているので、ローラーＡ５とは逆の矢印方向に回転し、結束バンドａを引き込む。引き込まれた結束バンドａは固定刃２と回転刃３に挟まれて切断される。この切断では、モーター１の回転数と傘歯車のギヤ比で決まる引き込み量によって切断される細断結束バンドｂの長さを決定する。【００１１】  図２は、図１の様子を下方向視点から見ての、回転刃３と固定刃２及びローラーＡ５とローラＢ６との実際の位置関係を示した斜視図である。モーター１の出力軸から傘歯車Ａ８と傘歯車Ｂ９を介して直角方向に分岐する動力を得たローラーＡ５とローラーＢ６は固定刃２の直上に並んで結束バンドａを引き込み、回転刃ガイド７は高速回転する回転刃３を固定刃２に密着させるべく空転しながら保持して、結束バンドａを固定刃２と回転刃３の間で挟み切る。【００１２】  図３の内部構造破断斜視図では、完成品を破断して内部構造を示した図である。モーター１を本体ベース１０に取り付け、ローラーＡ５とローラーＢ６を本体ベース１０に取り付けた軸受支持板Ａ１２と軸受支持板Ｂ１３によって固定し、ローラーＢ６の下部には固定刃２を取り付け、軸受支持板Ｂ１３には回転刃ガイド支持板１４が取り付く。その下部に開けた穴には空転するローラー型の回転刃ガイド７があり、固定刃２と回転刃３の密着を助ける役目をする。又、軸受支持板Ａ１２と軸受支持板Ｂ１３には、ローラーＡ５とローラーＢ６の密接するラインと同一線上にセンサー１５を埋め込んでおき、その上部に開いた本体ベース１０のバンド投入口１１から入って来る結束バンドａを感知してモーターのスイッチをオンにする。結束バンドａの末端をローラー内部に残らなくするには、センサー感度を遅らせることにより対応する。本体ベース１０の下部には下部カバー１６が付き、下部カバー１６に開いた排出穴１７から細断結束バンドｂが図４に示す受け箱１８に排出される。【００１３】  図４は受け箱１８に結束バンド細断機をセットする様子を示す実施斜視図で、シンプルな外観と軽量コンパクトな本体により取り扱いが簡単である。【００１４】  図５は、モーター１も回転刃３も増やすことなく、ローラーＡ５とローラーＢ６のローラーセットと固定刃２だけを増やすことにより、コンパクトな結束バンド細断機の大きさもそのままに複数の結束バンドａを細断できるようにした複数同時処理作動概念斜視図である。簡単に結束バンドａの処理数を増やすことが可能な仕組みとした。
【産業状の利用可能性】
【００１５】  この結束バンド細断機は、
１．複雑な機構を持たずに、製造コストを大幅削減できるので、低価格で提供できる。
２．コンパクトで取り回しが良く、大かがりな設備を必要としないので、どこにでも簡単に移動でき、狭いスペースの荷ほどき現場でも効率よく結束バンドを細断出来る。
３．バンド投入口に結束バンドを入れるだけでセンサーが感知して作動するため、煩雑なセット動作も不要で、誰でも簡単に取り扱える。
４．センサー感度を遅延させて電源が切れるのを遅延させることで、結束バンド末端がバンド投入口からローラーまでの間に残らない。
５．荷ほどき現場の中央に、複数同時処理型結束バンド細断機を置き、周囲の多方向から結束バンドを投入できるので、小さな梱包を多く解かねばならない現場の効率が格段にアップする。
以上のことから、梱包が大きかろうが、小さかろうが、多方面であらゆる分野で大いに役立つ。
【図面の簡単な説明】
【００１６】
【図１】上視点作動概念斜視図である。
【図２】下視点作動概念斜視図である。
【図３】内部構造斜視破断図である。
【図４】実施図である。
【図５】複数同時処理作動概念斜視図である。
【符号の説明】
【００１７】１  モーター
２  固定刃
３  回転刃
４  回転刃支持軸
５  ローラーＡ
６  ローラーＢ
７  回転刃ガイド
８  傘歯車Ａ
９  傘歯車Ｂ
１０  本体ベース
１１  バンド投入口
１２  軸受支持板Ａ
１３  軸受支持板Ｂ
１４  回転刃ガイド支持板
１５  センサー
１６  下部カバー
１７  排出穴
１８  受け箱
１９  キー
ａ    結束バンド
ｂ    細断結束バンド
【図１】
2007130745.tif 000003
【図２】
2007130745.tif 000004
【図３】
2007130745.tif 000005
【図４】
2007130745.tif 000006
【図５】
2007130745.tif 000007